Podtech/llm-jp-corpus-v4-ja_patent huggingface dataset:
【手続補正書】
【提出日】平成21年7月10日(2009.7.10)
【手続補正１】
【補正対象書類名】特許請求の範囲
【補正対象項目名】請求項１
【補正方法】変更
【補正の内容】
【請求項１】
個人用流体分与器において、空どうを画定するハウジングと、前記空どうの中に収容されている容器と、この容器により支持されて前記容器を開閉する弁と、前記ハウジングにより支持されて前記弁と係合するアクチュエータとを包含し、前記アクチュエータが人為的に操作されて前記弁を開閉するようにした個人用流体分与器。
【手続補正２】
【補正対象書類名】特許請求の範囲
【補正対象項目名】請求項６
【補正方法】変更
【補正の内容】
【請求項６】
請求項５記載の個人用流体分与器において、前記第１の窓が前記プッシュ／プル弁の開き位置と閉じ位置との間における前記親指状パッドの動きに適応するような大きさとされている個人用流体分与器。
【手続補正３】
【補正対象書類名】明細書
【補正対象項目名】０００９
【補正方法】変更
【補正の内容】
【０００９】
本発明の以上述べた目的及び詳細な説明が後述されることにより明らかになるであろう他の目的は、個人用流体分与器において、空どうを画定するハウジングと、前記空どうの中に収容されている容器と、この容器により支持されて前記容器を開閉する弁と、前記ハウジングにより支持されて前記弁と係合するアクチュエータとを包含し、前記アクチュエータが人為的に操作されて前記弁を開閉するようにした個人用流体分与器により達成される。
【手続補正４】
【補正対象書類名】明細書
【補正対象項目名】００１５
【補正方法】変更
【補正の内容】
【００１５】
クラムシェル形のハウジング１２は、上述した容器アセンブリ１４−２４を入れ子式に収容するような形状とした空どう３２を画定する。ハウジング１２の半割体１２ｂには後部窓３４が設けられ、この後部窓は容器１４の表面への使用者の手の容易な接近を可能にする。ハウジング１２の半割体１２ａには２つの側部窓３６が設けられ、これらの側部窓は分与器１０の側部側から容器１４の表面への使用者の手の簡易な接近を可能にする。これらの窓３４及び３６は、容器１４がほとんど空になり交換する用意をするかどうかと、使用者が容器１４の内容物の状態を観察することを可能にする。更に、後部窓３４は所望したときに分与を行うために使用者の手の指が押出し容器１４に接近して容器１４を圧縮せしめるための区域を提供する。同様に、ハウジング１２の半割体１２ａの側部窓３６は所望したときに分与を行うために容器１４の押出しを行うためにハウジングの頂部表面がたわむことに適応する。
【手続補正書】
【提出日】平成21年7月14日(2009.7.14)
【手続補正１】
【補正対象書類名】特許請求の範囲
【補正対象項目名】全文
【補正方法】変更
【補正の内容】
【特許請求の範囲】
【請求項１】
負圧流体または正圧流体の供給源と連通するクリーニング装置において、
ハウジングと、ブレード筐体と、該ブレード筐体に接続可能な攪拌ヘッドとを備える攪
拌装置であって、前記ブレード筐体の一部は、前記ハウジング内に配置され、前記ハウジ
ングは、加圧流体の流れを前記ブレード筐体内に導くように構成され、前記ブレード筐体
は、内部に壁を画定し、複数のブレードは、前記壁に取付けられるとともにその取付箇所
から内方に向かって垂れ下がっており、前記ブレードは、前記ブレード筐体が前記ブレー
ド筐体を通る前記加圧流体の流れに応じて回転するように構成され、回転する前記ブレー
ド筐体は、前記攪拌ヘッドを回転させて、対象物上の異物を攪拌し、該攪拌された異物を
前記加圧流体の流れによって前記対象物から除去させるように構成されている、攪拌装置
を備えていることを特徴とするクリーニング装置。
【手続補正書】
【提出日】平成21年7月17日(2009.7.17)
【手続補正１】
【補正対象書類名】特許請求の範囲
【補正対象項目名】全文
【補正方法】変更
【補正の内容】
【特許請求の範囲】
【請求項１】
バイオポリマーを含む製造品であって、イリドイド誘導体、ゲニピン、ジイミデート、ジオン、ジカルボン酸のＮＨＳエステル、カルボジイミド、アクリルアミド、Ｎ，Ｎ’−メチレンビスアクリルアミド、糖、リボース、フルクトース、第ＸＩＩＩ因子、１−エチル−３−（ジメチルアミノプロピル）カルボジイミド、２，５−ヘキサンジオン、ジメチルスベルイミデート、グルタルアルデヒド、ホルムアルデヒド、ホルムアルデヒド亜硫酸ナトリウム、およびそれらの組合せから成る群より選択される架橋剤により架橋され、脱水されている製造品。
【請求項２】
バイオポリマーを含む製造品であって、圧縮されている製造品。
【請求項３】
前記製造品が、イリドイド誘導体、ゲニピン、ジイミデート、ジオン、ジカルボン酸のＮＨＳエステル、カルボジイミド、アクリルアミド、Ｎ，Ｎ’−メチレンビスアクリルアミド、糖、リボース、フルクトース、第ＸＩＩＩ因子、１−エチル−３−（ジメチルアミノプロピル）カルボジイミド、２，５−ヘキサンジオン、ジメチルスベルイミデート、グルタルアルデヒド、ホルムアルデヒド、ホルムアルデヒド亜硫酸ナトリウム、およびそれらの組合せから成る群より選択される架橋剤により架橋されている、請求項２に記載の製造品。
【請求項４】
前記バイオポリマーがタンパク質、フィブリン、フィブリノゲン、コラーゲン、ゼラチン、エラスチン、細胞外マトリクス構成要素、ポリサッカライド、ヒアルロン酸、およびそれらの組合せから成る群より選択される、請求項１または２のいずれか１項に記載の製造品。
【請求項５】
前記バイオポリマーが粉末である、請求項１または２のいずれか１項に記載の方法。
【請求項６】
前記製造品が真空によって脱水されている、請求項１に記載の製造品。
【請求項７】
前記製造品がフィルムを形成する、請求項１または２のいずれか１項に記載の製造品。
【請求項８】
前記製造品がジスルフィド結合を含む、請求項１または２のいずれか１項に記載の製造品。
【請求項９】
前記製造品がイソペプチド結合を含む、請求項１または２のいずれか１項に記載の製造品。
【請求項１０】
前記製造品がモノアルデヒド架橋アミンを含む、請求項１または２のいずれか１項に記載の製造品。
【請求項１１】
前記製造品がピラン架橋アミンを含む、請求項１または２のいずれか１項に記載の製造品。
【請求項１２】
前記架橋剤がゲニピンである、請求項１または３のいずれか１項に記載の製造品。
【請求項１３】
前記架橋剤が粉末である、請求項１または３のいずれか１項に記載の製造品。
【請求項１４】
前記製造品が生物学的応答調節物質、抗原、薬物、ホルモン、トレーサ、ＲＮＡおよびＤＮＡから成る群より選択される化合物を含む、請求項１または２のいずれか１項に記載の製造品。
【請求項１５】
前記製造品が充填剤を含む、請求項１または２のいずれか１項に記載の製造品。
【請求項１６】
前記製造品が微粒子を含む、請求項１５に記載の製造品。
【請求項１７】
前記微粒子がヒドロキシアパタイト、リン酸三カルシウム、リン酸カルシウム、および硫酸カルシウムから成る群より選択される、請求項１６に記載の製造品。
【請求項１８】
請求項７に記載のフィルムを含む積層構造物である、製造品。
【請求項１９】
前記積層構造物がシートの積み重ね、管状ロール、またはそれらの組合せから形成される、請求項１８に記載の製造品。
【請求項２０】
前記製造品が、プラスチックを形成するのに十分な圧力、温度、および時間、圧縮される、請求項２に記載の製造品。
【請求項２１】
前記製造品が押し出し金型、圧縮鋳型、または射出鋳型で形成される、請求項２に記載の製造品。
【請求項２２】
前記製造品が可塑剤を含む、請求項１または２のいずれか１項に記載の製造品。
【請求項２３】
前記可塑剤がフタレート可塑剤、アジペート可塑剤、トリメリテート可塑剤、マレエート可塑剤、セバケート可塑剤、ベンゾエート可塑剤、エポキシ化植物油、スルホンアミド可塑剤、ホスフェート可塑剤、水、ポリアルコール、グリコール、グリセリン、グリセロール、ポリエーテル、アセチル化モノグリセリド、アルキルシトレート、ポリマー可塑剤、およびそれらの組合せから成る群より選択される、請求項２２に記載の製造品。
【請求項２４】
前記製造品が孔を含む、請求項２に記載の製造品。
【請求項２５】
ハイドロゲルを供給する工程であって、該ハイドロゲルが、イリドイド誘導体、ゲニピン、ジイミデート、ジオン、ジカルボン酸のＮＨＳエステル、カルボジイミド、アクリルアミド、Ｎ，Ｎ’−メチレンビスアクリルアミド、糖、リボース、フルクトース、第ＸＩＩＩ因子、１−エチル−３−（ジメチルアミノプロピル）カルボジイミド、２，５−ヘキサンジオン、ジメチルスベルイミデート、グルタルアルデヒド、ホルムアルデヒド、ホルムアルデヒド亜硫酸ナトリウム、およびそれらの組合せから成る群より選択される架橋剤により架橋されている工程と；
脱水フィルムを形成するための温度および時間で該ハイドロゲルを真空乾燥させる工程と；
を含む、ポリマーフィルムを製造する方法。
【請求項２６】
前記温度が８０℃未満である、請求項２５に記載の方法。
【請求項２７】
前記圧力が２０ミリバール未満である、請求項２５に記載の方法。
【請求項２８】
バイオポリマーと化合物とを混合し、混合物を作製する工程と；
該混合物を、バイオポリマーマトリックスを形成するための温度および時間、圧縮する工程と；
を含む、プラスチックを製造する方法。
【請求項２９】
前記温度が８０℃未満である、請求項２８に記載の方法。
【請求項３０】
前記混合物が押し出し金型、圧縮鋳型、または射出鋳型で形成される、請求項２９に記載の方法。
【請求項３１】
バイオポリマーに溶媒和ポロゲンまたは昇華ポロゲンを混合する工程と；
該ポロゲンを含むバイオポリマーマトリクスを形成する工程と；
該バイオポリマーマトリクスから該ポロゲンを除去する工程と；
を含む、多孔性プラスチックを製造する方法。
【請求項３２】
前記ポロゲンが有機相に溶解性である、請求項３１に記載の方法。
【請求項３３】
前記ポロゲンがポリウレタン、ポリ乳酸、ポリグリコール酸、乳酸−グリコール酸コポリマー、およびポリカプロラクトンから選択される溶媒和ポロゲンである、請求項３１に記載の方法。
【請求項３４】
前記ポロゲンが水相に溶解性である、請求項３１に記載の方法。
【請求項３５】
前記ポロゲンが酢酸アンモニウム、塩化アンモニウム、重炭酸アンモニウム、炭酸アンモニウム、およびトリフルオロ酢酸ピリジニウムから成る群より選択される昇華ポロゲンである、請求項３１に記載の方法。
【請求項３６】
溶媒により活性化させることができる固体架橋剤と混合された固体ポリマー粉末を提供し、混合物を形成する工程と；
該固体架橋剤を含む該混合物からポリマーマトリクスを形成する工程と；
を含む、ポリマーを架橋する方法。
【手続補正書】
【提出日】平成21年5月15日(2009.5.15)
【手続補正１】
【補正対象書類名】特許請求の範囲
【補正対象項目名】全文
【補正方法】変更
【補正の内容】
【特許請求の範囲】
【請求項１】
寝具であって、前記寝具は、
第１、第２および第３の布製区分であって、前記第２の布製区分は前記第１および第３の布製区分の間に配置され、前記布製区分はすべてほぼ同じ大きさであり且つ整合状態に位置決めされている、第１、第２および第３の布製区分と、
互いに離間して配置された少なくとも２つの第１布製隔壁条片であって、前記寝具の１つの全体寸法の実質的に全てに亘って延在し且つ前記第１および第２の布製区分の間に固定されている、少なくとも２つの第１布製隔壁条片と、
互いに離間して配置された少なくとも２つの第２布製隔壁条片であって、前記１つの寸法に対してほぼ垂直である、前記寝具の他の１つの全体寸法の実質的に全てに亘って延在し且つ前記第３および第２の布製区分の間に固定されている、少なくとも２つの第２布製隔壁条片とを備えており、前記第１布製隔壁条片は、少なくとも３つの連続する内部空間を前記第１および第２の布製区分の間に形成し、前記第２布製隔壁条片は、少なくとも３つの連続する内部空間を前記第２および第３の布製区分の間に形成し、
前記内部空間の全てに、緩い充填材が配置されている、寝具。
【請求項２】
前記第１布製隔壁条片は、前記第１および第２の布製区分の間を前記寝具の長手方向に延在し、前記第２布製隔壁条片は、前記第２および第３の布製区分の間を前記寝具の横方向に延在する、請求項１に記載の寝具。
【請求項３】
前記第１および第２の布製区分の間の前記内部空間、または前記第３および第２の布製区分の間の前記内部空間は、実質的に等しい幅を有している、請求項１に記載の寝具。
【請求項４】
前記第１および第２の布製区分のうち少なくとも一方は、互いに固定された複数の個々の布片により形成される、請求項１に記載の寝具。
【請求項５】
前記第１および第２の布製区分の間の前記内部空間は、必ずしもすべてが等しい幅を有しておらず、前記第３および第２の布製区分の間の前記内部空間は、必ずしもすべてが等しい幅を有していない、請求項１に記載の寝具。
【請求項６】
前記第１および第２の布製区分の間には、前記第３および第２の布製区分の間とは異なる数の空間が設けられている、請求項１に記載の寝具。
【請求項７】
前記寝具が枕である、請求項１に記載の寝具。
【請求項８】
前記寝具が羽毛ベッドである、請求項１に記載の寝具。
【請求項９】
寝具であって、前記寝具は、
ほぼ同じ大きさであり且つ整合状態に位置決めされた第１、第２および第３の布製区分と、
前記寝具の１つの全体寸法の実質的に全てに亘って延びて前記第１および第２の布製区分を互いに接続する、互いに離間して配置された少なくとも２本の取り付け線であって、少なくとも３つの第１内部空間を前記第１および第２の布製区分の間に形成する取り付け線と、
前記寝具の他の１つの全体寸法の実質的に全てに亘って延びて前記第３および第２の層を互いに接続する、互いに離間して配置された少なくとも２本の取り付け線であって、少なくとも３つの第２内部空間を前記第３および第２の布製区分の間に形成する取り付け線とを備えており、前記第３および第２の布製区分の間の前記内部空間は前記第１および第２の布製区分の間の前記内部空間に対してほぼ垂直に延在しており、
前記内部空間の全てに、緩い充填材が配置されている、寝具。
【請求項１０】
前記第１内部空間は、前記寝具の長手方向寸法または横方向寸法のいずれかにおける、前記寝具の１つの寸法に沿って延在し、前記第２内部空間は、他の寸法に沿って延在する、請求項９に記載の寝具。
【請求項１１】
前記寝具は枕である、請求項９に記載の寝具。
【請求項１２】
前記寝具は羽毛ベッドである、請求項９に記載の寝具。
【請求項１３】
前記第１内部空間および前記第２内部空間は、それぞれ、必ずしもすべてが等しい幅を有していない、請求項９に記載の寝具。
【請求項１４】
緩衝材付き物品であって、前記物品は、
第１、第２および第３の布製区分であって、前記第２の布製区分は前記第１および第３の布製区分の間に配置され、前記布製区分はすべてほぼ同じ大きさであり且つ整合状態に位置決めされている、第１、第２および第３の布製区分と、
前記物品の１つの全体寸法の実質的に全てに亘って延在し、前記第１および第２の布製区分を選択された取り付け線に沿って固定する、第１の手段と、
前記１つの寸法に対してほぼ垂直である、前記物品の他の１つの全体寸法の実質的に全てに亘って延在し、前記第３および第２の布製区分を選択された取り付け線に沿って固定する、第２の手段とを備えており、前記第１の手段は少なくとも３つの連続する内部空間を前記第１および第２の布製区分の間に形成し、前記第２の手段は少なくとも３つの連続する内部空間を前記第２および第３の布製区分の間に形成し、
前記内部空間の全てに、緩い充填材が配置されている、緩衝材付き物品。
【請求項１５】
前記緩衝材付き物品が枕である、請求項１４に記載の緩衝材付き物品。
【請求項１６】
前記緩衝材付き物品が羽毛ベッドである、請求項１４に記載の緩衝材付き物品。
【請求項１７】
前記緩衝材付き物品が家具クッションである、請求項１４に記載の緩衝材付き物品。
【請求項１８】
前記第１および第２の手段が布製隔壁条片である、請求項１４に記載の緩衝材付き物品。
【請求項１９】
前記第１および第２手段が取り付け線である、請求項１４に記載の緩衝材付き物品。
【請求項２０】
前記第１および第２の手段のうち一方が布製隔壁条片であり、前記第１および第２の手段のうち他方が取り付け線である、請求項１４に記載の緩衝材付き物品。
【請求項２１】
寝具であって、前記寝具は、
第１、第２および第３の布製区分であって、前記第２の布製区分は前記第１および第３の布製区分の間に配置され、前記布製区分のうちの１つまたは複数は、１つまたは複数の布片を含み、前記布製区分はすべてほぼ同じ大きさであり且つ整合状態に位置決めされている、第１、第２および第３の布製区分と、
前記寝具の１つの全体寸法の実質的に全てに亘って延在し、前記第１の布製区分および前記第２の布製区分を選択された取り付け線に沿って固定する、第１の手段と、
前記１つの寸法に対してほぼ垂直である、前記寝具の他の１つの全体寸法の実質的に全てに亘って延在し、前記第３の布製区分および前記第２の布製区分を選択された取り付け線に沿って固定する、第２の手段とを備えており、前記第１の手段は少なくとも３つの連続する内部空間を前記第１および第２の布製区分の間に形成し、前記第２の手段は少なくとも３つの連続する内部空間を前記第２および第３の布製区分の間に形成し、
前記内部空間の全てに、緩い充填材が配置されている、寝具。
【請求項２２】
前記第２の布製区分は２つの布片を含んでおり、前記第１の手段は前記第１の布製区分および１つの布片を互いに固定し、前記第２の手段は前記第３の布製区分および他の１つの布片を互いに固定し、前記１つの布片および前記他の１つの布片の間に内部容積を画定する、請求項２１に記載の寝具。
【請求項２３】
前記寝具が枕である、請求項２２に記載の寝具。
【手続補正書】
【提出日】平成21年7月8日(2009.7.8)
【手続補正１】
【補正対象書類名】特許請求の範囲
【補正対象項目名】全文
【補正方法】変更
【補正の内容】
【特許請求の範囲】
【請求項１】
混ざり合って多孔質ウェブを形成している溶融成形連続フィラメントを含む、医療用物品であって、前記フィラメントが複数の接触点で互いに自己凝集しており、前記フィラメントが、少なくとも１種の無定形ポリマー成分と共有結合した又はブレンドされた、少なくとも１種の半結晶ポリマー成分を含み、前記フィラメントが、結晶状態のときに部分的乃至完全なポリマー成分相不混和性を有し、前記多孔質ウェブの気孔率（パーセント）が９０より大きい、医療用物品。
【請求項２】
前記気孔率（パーセント）が９１より大きい、請求項１に記載の医療用物品。
【請求項３】
前記少なくとも１種の半結晶ポリマー成分が、少なくとも１種の無定形ポリマー成分と共有結合している、請求項１に記載の医療用物品。
【請求項４】
前記成分がブロックコポリマーを含む、請求項３に記載の医療用物品。
【請求項５】
前記少なくとも１種の半結晶ポリマー成分が、前記少なくとも１種の無定形ポリマー成分とブレンドされている、請求項１に記載の医療用物品。
【請求項６】
前記成分の少なくとも１つがブロックコポリマーである、請求項５に記載の医療用物品。
【請求項７】
少なくとも１種の半結晶ポリマー成分の融点が８０℃より高い、請求項１に記載の医療用物品。
【請求項８】
実質的に平坦なシート形状である、請求項１に記載の医療用物品。
【請求項９】
前記実質的に平坦なシートが、哺乳類の口腔内への配置に適合している、請求項８に記載の医療用物品。
【請求項１０】
中空チューブ形状を有する、請求項１に記載の医療用物品。
【請求項１１】
混ざり合って多孔質ウェブを形成している溶融成形連続フィラメントを含む、医療用物品であって、前記フィラメントが複数の接触点で互いに自己凝集しており、前記フィラメントが、少なくとも１種の追加の半結晶ポリマー成分と共有結合した又はブレンドされた、少なくとも１種の半結晶ポリマー成分を含み、前記フィラメントが、結晶状態のときに部分的乃至完全なポリマー成分相不混和性を有し、前記多孔質ウェブの気孔率（パーセント）が９０より大きい、医療用物品。
【請求項１２】
前記多孔質ウェブの気孔率（パーセント）が９１より大きい、請求項１１に記載の医療用物品。
【請求項１３】
前記少なくとも１種の半結晶ポリマー成分が、少なくとも１種の無定形ポリマー成分と共有結合している、請求項１１に記載の医療用物品。
【請求項１４】
前記成分がブロックコポリマーを含む、請求項１３に記載の医療用物品。
【請求項１５】
前記少なくとも１種の半結晶ポリマー成分が、少なくとも１種の無定形ポリマー成分とブレンドされている、請求項１１に記載の医療用物品。
【請求項１６】
前記成分の少なくとも１つがブロックコポリマーである、請求項１５に記載の医療用物品。
【請求項１７】
少なくとも１種の半結晶ポリマー成分の融点が８０℃より高い、請求項１１に記載の医療用物品。
【請求項１８】
実質的に平坦なシート形状である、請求項１７に記載の医療用物品。
【請求項１９】
前記実質的に平坦なシートが、哺乳類の口腔内への配置に適合している、請求項１８に記載の医療用物品。
【請求項２０】
中空チューブ形状を有する、請求項１１に記載の医療用物品。
【請求項２１】
混ざり合って多孔質ウェブを形成している溶融成形連続フィラメントを含む、医療用物品であって、前記フィラメントが複数の接触点で互いに自己凝集しており、前記フィラメントが、少なくとも１種の無定形ポリマー成分と共有結合した又はブレンドされた、少なくとも１種の半結晶ポリマー成分を含み、前記フィラメントが、結晶状態のときに部分的乃至完全なポリマー成分相不混和性を有し、前記多孔質ウェブの気孔率（パーセント）が、前記気孔率（パーセント）を有効に減少しうる充填材又は他の追加成分を包含しない状態で９０より大きい、医療用物品。
【請求項２２】
前記気孔率（パーセント）が、前記気孔率（パーセント）を有効に減少しうる充填材又は他の追加成分を包含しない状態で９１より大きい、請求項２１に記載の医療用物品。
【請求項２３】
前記少なくとも１種の半結晶ポリマー成分が、少なくとも１種の無定形ポリマー成分と共有結合している、請求項２１に記載の医療用物品。
【請求項２４】
前記成分がブロックコポリマーを含む、請求項２３に記載の医療用物品。
【請求項２５】
前記少なくとも１種の半結晶ポリマー成分が、前記少なくとも１種の無定形ポリマー成分とブレンドされている、請求項２１に記載の医療用物品。
【請求項２６】
前記成分の少なくとも１つがブロックコポリマーである、請求項２５に記載の医療用物品。
【請求項２７】
少なくとも１種の半結晶ポリマー成分の融点が８０℃より高い、請求項２１に記載の医療用物品。
【請求項２８】
混ざり合って多孔質ウェブを形成している溶融成形連続フィラメントを含む、医療用物品であって、前記フィラメントが複数の接触点で互いに自己凝集しており、前記フィラメントが、少なくとも１種の追加の半結晶ポリマー成分と共有結合した又はブレンドされた、少なくとも１種の半結晶ポリマー成分を含み、前記フィラメントが、結晶状態のときに部分的乃至完全なポリマー成分相不混和性を有し、前記多孔質ウェブの気孔率（パーセント）が、前記気孔率（パーセント）を有効に減少しうる充填材又は他の追加成分を包含しない状態で９０より大きい、医療用物品。
【請求項２９】
前記多孔質ウェブの気孔率（パーセント）が、前記気孔率（パーセント）を有効に減少しうる充填材又は他の追加成分を包含しない状態で９１より大きい、請求項２８に記載の医療用物品。
【請求項３０】
前記少なくとも１種の半結晶ポリマー成分が、少なくとも１種の無定形ポリマー成分と共有結合している、請求項２８に記載の医療用物品。
【請求項３１】
前記成分がブロックコポリマーを含む、請求項３０に記載の医療用物品。
【請求項３２】
前記少なくとも１種の半結晶ポリマー成分が、少なくとも１種の無定形ポリマー成分とブレンドされている、請求項２８に記載の医療用物品。
【請求項３３】
前記成分の少なくとも１つがブロックコポリマーである、請求項３２に記載の医療用物品。
【請求項３４】
少なくとも１種の半結晶ポリマー成分の融点が８０℃より高い、請求項２８に記載の医療用物品。
【手続補正書】
【提出日】平成21年7月17日(2009.7.17)
【手続補正１】
【補正対象書類名】特許請求の範囲
【補正対象項目名】全文
【補正方法】変更
【補正の内容】
【特許請求の範囲】
【請求項１】
多孔性ウェブを形成するべく溶融成形された連続生体吸収性フィラメントと混ぜ合わされた溶融成形された非連続生体吸収性フィラメントを含む移植可能物品であって、前記フィラメントが多数の接触点で互いに自己密着し、前記フィラメントが、少なくとも１つの非晶質重合体構成成分に共有結合した又はこの構成成分と配合された少なくとも１つの半結晶性重合体構成成分を含んで成り、該フィラメントが、結晶状態にある時に部分的乃至は完全な重合体構成成分相非混和性を有する物品であって、多孔率を事実上低減させ得る何らかの充填材又はその他の付加的な構成成分を含まない場合に９０超の多孔性百分率を有し、前記溶融成形されたフィラメントの集団に取り外し可能なように付着させられた非生体吸収性材料を有する、移植可能物品。
【請求項２】
多孔率を事実上低減させ得る何らかの充填材又はその他の付加的な構成成分を含まない場合に、多孔性百分率が９１超である、請求項１に記載の移植可能物品。
【請求項３】
少なくとも１つの半結晶性重合体構成成分が少なくとも１つの非晶質重合体構成成分に共有結合されている、請求項１に記載の移植可能物品。
【請求項４】
構成成分がブロック共重合体を含んで成る、請求項３に記載の移植可能物品。
【請求項５】
少なくとも１つの半結晶性重合体構成成分が少なくとも１つの非晶質重合体構成成分と配合されている、請求項１に記載の移植可能物品。
【請求項６】
構成成分のうちの少なくとも１つがブロック共重合体である、請求項５に記載の移植可能物品。
【請求項７】
少なくとも１つの半結晶性重合体構成成分は摂氏８０度（８０℃）超の融点を有する、請求項１に記載の移植可能物品。
【請求項８】
前記非生体吸収性材料がフッ素重合体材料を含んで成る、請求項１に記載の移植可能物品。
【請求項９】
前記フッ素重合体材料がポリテトラフルオロエチレンである、請求項８に記載の移植可能物品。
【請求項１０】
前記非生体吸収性材料が、細胞の内側への成長に対する障壁である辺を有する、請求項１に記載の移植可能物品。
【請求項１１】
前記フィラメントの集団が、細胞の内側への成長に対する障壁である前記非生体吸収性材料の辺に付着される、請求項１０に記載の移植可能物品。
【請求項１２】
実質的に平面のシートの形をしている、請求項１に記載の移植可能物品。
【請求項１３】
２以上の平面のシートの形をしている、請求項１に記載の移植可能物品。
【請求項１４】
前記シートが一緒に付着されて積層を形成する、請求項１３に記載の移植可能物品。
【請求項１５】
前記２以上の平面シートの形の溶融成形されたフィラメントの集団に付着させられた非生体吸収性材料の第二のシートをさらに含んで成る、請求項１３に記載の移植可能物品。
【請求項１６】
前記第二の非生体吸収性シートがフッ素重合体材料を含んで成る、請求項１５に記載の移植可能物品。
【請求項１７】
前記フッ素重合体材料がポリテトラフルオロエチレンである、請求項１６に記載の移植可能物品。
【請求項１８】
前記積層の形の前記溶融成形されたフィラメントの集団に付着させられた非生体吸収性材料の第三のシートをさらに含んで成る、請求項１４に記載の移植可能物品。
【請求項１９】
前記第三の非生体吸収性シートがフッ素重合体材料を含んで成る、請求項１８に記載の移植可能物品。
【請求項２０】
前記フッ素重合体材料がポリテトラフルオロエチレンである、請求項１９に記載の移植可能物品。
【請求項２１】
前記第三の非生体吸収性シート材料が、細胞の内側への成長に対する障壁である辺を有する、請求項１８に記載の移植可能物品。
【請求項２２】
前記第三の非生体吸収性シート材料が、細胞の内側への成長に対する障壁である第二の辺を有する、請求項１８に記載の移植可能物品。
【請求項２３】
前記フィラメントの集団が、細胞の内側への成長に対する障壁である前記第三の非生体吸収性シート材料の辺に付着される、請求項２１に記載の移植可能物品。
【請求項２４】
前記フィラメントの集団が、細胞の内側への成長に対する障壁である前記第三の非生体吸収性シート材料の第二の辺に付着される、請求項２２に記載の移植可能物品。
【請求項２５】
多孔性ウェブを形成するべく溶融成形された連続生体吸収性フィラメントから派生し及びそれと混ぜ合わされた溶融成形された非連続生体吸収性フィラメントを含む移植可能物品であって、前記フィラメントが多数の接触点で互いに自己密着し、前記フィラメントが、少なくとも１つの付加的な半結晶性重合体構成成分に共有結合した又はこの構成成分と配合された少なくとも１つの半結晶性重合体構成成分を含み、該フィラメントが、結晶状態にある時に部分的乃至は完全な重合体構成成分相非混和性を有し、多孔率を事実上低減させ得る何らかの充填材又はその他の付加的な構成成分を含まない場合に９０超の多孔性百分率を有し、前記溶融成形されたフィラメントの集団に取り外し可能なように付着させられた非生体吸収性材料を有する、移植可能物品。
【請求項２６】
多孔性百分率が、多孔率を事実上低減させ得る何らかの充填材又はその他の付加的構成成分を含まない場合に９１超である、請求項２５に記載の移植可能物品。
【請求項２７】
少なくとも１つの半結晶性重合体構成成分が少なくとも１つの非晶質重合体構成成分に共有結合されている、請求項２５に記載の移植可能物品。
【請求項２８】
構成成分がブロック共重合体を含んで成る、請求項２７に記載の移植可能物品。
【請求項２９】
少なくとも１つの半結晶性重合体構成成分が少なくとも１つの非晶質重合体構成成分と配合されている、請求項２５に記載の移植可能物品。
【請求項３０】
構成成分のうちの少なくとも１つがブロック共重合体である、請求項２９に記載の移植可能物品。
【請求項３１】
少なくとも１つの半結晶性重合体構成成分は摂氏８０度（８０℃）超の融点を有する、請求項２５に記載の移植可能物品。
【請求項３２】
前記非生体吸収性材料がフッ素重合体構成成分である、請求項２５に記載の移植可能物品。
【請求項３３】
前記フッ素重合体構成成分がポリテトラフルオロエチレンを含んで成る、請求項３２に記載の移植可能物品。
【手続補正書】
【提出日】平成21年7月16日(2009.7.16)
【手続補正１】
【補正対象書類名】特許請求の範囲
【補正対象項目名】全文
【補正方法】変更
【補正の内容】
【特許請求の範囲】
【請求項１】
実質的に長方形の移植可能な綿撒糸材料を含む医療器具であって、前記長方形の綿撒糸材料はその対辺に沿って気孔率（パーセント）が９０より大きい多孔質の生体吸収性不織ウェブに解放可能に取り付けられており、前記多孔質ウェブは、混ざり合って多孔質ウェブを形成している溶融成形連続フィラメントを含み、前記フィラメントが複数の接触点で互いに自己凝集しており、前記フィラメントが、少なくとも１種の無定形ポリマー成分と共有結合した又はブレンドされた、少なくとも１種の半結晶ポリマー成分を含み、前記フィラメントが、結晶状態のときに部分的乃至完全なポリマー成分相不混和性を有し、前記多孔質ウェブが、外科用ステープル装置に前記綿撒糸材料を保持する大きさにされる、医療器具。
【請求項２】
前記ウェブの気孔率（パーセント）が９１より大きい、請求項１に記載の医療器具。
【請求項３】
前記少なくとも１種の半結晶ポリマー成分が、少なくとも１種の無定形ポリマー成分と共有結合している、請求項１に記載の医療器具。
【請求項４】
前記成分がブロックコポリマーを含む、請求項３に記載の医療器具。
【請求項５】
前記少なくとも１種の半結晶ポリマー成分が、前記少なくとも１種の無定形ポリマー成分とブレンドされている、請求項１に記載の医療器具。
【請求項６】
前記成分の少なくとも１つがブロックコポリマーである、請求項５に記載の医療器具。
【請求項７】
少なくとも１種の半結晶ポリマー成分の融点が８０℃より高い、請求項１に記載の医療器具。
【請求項８】
前記綿撒糸材料が生体吸収性材料である、請求項１に記載の医療器具。
【請求項９】
前記生体吸収性材料が、混ざり合って多孔質ウェブを形成している溶融成形連続フィラメントの形状であって、前記フィラメントが複数の接触点で互いに自己凝集しており、前記フィラメントが、少なくとも１種の無定形ポリマー成分と共有結合した又はブレンドされた、少なくとも１種の半結晶ポリマー成分を含み、前記フィラメントが、結晶状態のときに部分的乃至完全なポリマー成分相不混和性を有する、請求項８に記載の医療器具。
【請求項１０】
前記綿撒糸材料に少なくとも１つの孔をさらに含む、請求項１に記載の医療器具。
【手続補正書】
【提出日】平成21年7月23日(2009.7.23)
【手続補正１】
【補正対象書類名】特許請求の範囲
【補正対象項目名】全文
【補正方法】変更
【補正の内容】
【特許請求の範囲】
【請求項１】
細長い略円筒形のステント本体と、前記ステント本体の少なくとも一部分を覆っているグラフト材料とを備える、身体脈管の損傷部分を術中修復するためのステント・グラフト装置であって、前記装置は、前記脈管の直径より小さい直径を有する圧縮状態から、前記脈管の直径と少なくとも同じ直径を有する拡張状態へ拡張可能であり、前記装置は、前記脈管内に前記圧縮状態で配置され、前記拡張状態で前記脈管と係合可能であるステント・グラフト装置。
【請求項２】
前記ステント本体は、前記術中修復を受けている前記損傷脈管部分の長さと少なくとも同じ長さを有している、請求項１に記載の装置。
【請求項３】
前記ステント本体は、軸方向に間隔を空けて配置されている複数のステントを備えており、前記グラフト材料は、前記ステントを覆っており、前記ステントは、前記脈管の直径より小さい直径を有する圧縮状態から、前記脈管の直径と少なくとも同じ直径を有する拡張状態へ拡張可能である、請求項１に記載の装置。
【請求項４】
前記ステント・グラフト装置は、前記装置を前記脈管に固定するための固定機構を含んでいる、請求項１に記載の装置。
【請求項５】
通路が中を貫通している略円筒形の本体を有する身体脈管の損傷した部分を術中修復するためのステント・グラフト装置であって、
前記本体の少なくとも１つの軸方向端部に配置されているコネクタであって、前記コネクタの一方の軸方向端部は、前記通路内へと伸張し、前記コネクタの他方の軸方向端部は、前記本体から伸張しており、前記通路内へと伸張している前記軸方向端部は、該端部が前記本体内にぴったり入り込むような直径を有しており、前記本体から伸張している前記軸方向端部は、前記脈管と係合させるための機構を含んでいる、コネクタと、を備えているステント・グラフト装置。
【請求項６】
前記装置は、その各軸方向端部に配置されているコネクタを備えており、前記各コネクタは、前記脈管と１つ又は複数の縫合糸によって固定的に係合させるようになっている部分を含んでいる、請求項５に記載の装置。
【手続補正書】
【提出日】平成21年7月23日(2009.7.23)
【手続補正１】
【補正対象書類名】特許請求の範囲
【補正対象項目名】全文
【補正方法】変更
【補正の内容】
【特許請求の範囲】
【請求項１】
分子量が１００，０００〜８，０００，０００であるポリエチレンオキシドを乾燥させる工程と、
ポリエーテルブロックアミドを乾燥させる工程と、
前記２種類のポリマーを、フィーダを通して配合押出機に加えることにより溶融混合する工程と、
溶融混合されたポリマーブレンドが内層を形成し、かつ構造ポリマーが外層を形成する管状部材を同時押出する工程と、
前記管状部材の内層の前記ポリマーブレンドを架橋する工程と、
前記管状部材を医療機器に組み込む工程と
からなる潤滑なポリマーから医療機器を形成する方法。
【請求項２】
前記ポリマーブレンドに架橋促進剤を添加する工程を更に含む請求項１に記載の方法。
【請求項３】
前記ポリエチレンオキシドを乾燥させる工程は、分子量１，０００，０００のポリエチレンオキシドを乾燥させる工程からなる請求項１に記載の方法。
【請求項４】
前記ポリマーブレンドはポリエチレンオキシドを４０重量％含有する請求項１に記載の方法。
【請求項５】
ポリエチレンオキシドと不溶性の構造ポリマーとが分散され、かつ実質的に均一のポリマーブレンドを調製する工程と、
前記ポリマーブレンドが内層を形成し、かつ構造ポリマーが外層を形成する管状部材を同時押出する工程と、
前記管状部材の内層の前記ポリマーブレンドを、電子ビームを用いて架橋する工程と、
前記管状部材を医療機器に組み込む工程と
からなる潤滑な表面を呈する医療機器を形成する方法。
【請求項６】
前記構造ポリマーがポリウレタンである請求項５に記載の方法。
【請求項７】
前記構造ポリマーがポリエーテルブロックアミドである請求項５に記載の方法。
【請求項８】
前記ポリマーの混合中に、前記ポリマーブレンドに架橋促進剤を添加する工程を更に含む請求項５に記載の方法。
【請求項９】
前記架橋促進剤はトリアリールトリアジントリオンである請求項８に記載の方法。
【請求項１０】
前記ポリマーブレンドを架橋する工程は、前記管状部材を５．０Ｍｒａｄの電子ビームに曝露する工程を含む請求項５に記載の方法。
【請求項１１】
前記ポリマーブレンドを架橋する工程は、前記管状部材を１０．０Ｍｒａｄの電子ビームに曝露する工程を含む請求項５に記載の方法。
【請求項１２】
前記ポリマーブレンドはポリエチレンオキシドを４０重量％含有する請求項５に記載の方法。
【請求項１３】
前記ポリエチレンオキシドの分子量は１００，０００〜８，０００，０００である請求項５に記載の方法。
【手続補正書】
【提出日】平成20年10月28日(2008.10.28)
【手続補正１】
【補正対象書類名】特許請求の範囲
【補正対象項目名】全文
【補正方法】変更
【補正の内容】
【特許請求の範囲】
【請求項１】
乾燥装置であって、ケーシングと、前記ケーシング内に形成されていて、物体を受け入れるキャビティと、前記ケーシング内に設けられていて、空気流を生じさせることができるファンと、前記ファンを駆動するよう構成されたモータと、前記ファンと連通していて、前記キャビティを横切って空気流を横断方向に差し向けるよう前記ケーシングに設けられた少なくとも１つのスロット状開口部とを有し、使用中、前記開口部から放出される前記空気流の圧力は、少なくとも８ｋＰａである、乾燥装置。
【請求項２】
前記モータは、使用中、少なくとも８０，０００ｒｐｍの速度で回転することができるロータを有する、請求項１記載の乾燥装置。
【請求項３】
前記モータは、使用中、少なくとも１００，０００ｒｐｍの速度で回転することができるロータを有する、請求項１又は２記載の乾燥装置。
【請求項４】
前記モータは、切り換え式リラクタンスモータである、請求項１、２又は３記載の乾燥装置。
【請求項５】
前記ファンは、２段式ファンであり、前記モータは、第１の段及び第２の段を並列に駆動するよう構成されている、請求項１記載の乾燥装置。
【請求項６】
前記モータは、第１のモータ及び第２のモータから成り、前記第１のモータは、第１のファンを駆動するよう構成され、前記第２のモータは、第２のファンを駆動するよう構成され、第１のモータ及び第２のモータは、前記第１のファン及び前記第２のファンを直列に駆動するよう構成されている、請求項１記載の乾燥装置。
【請求項７】
前記少なくとも１つの開口部は、前記キャビティを横切って空気流を差し向けるよう配置されている１対の対向したスロット状開口部から成る、請求項１〜６のうちいずれか一に記載の乾燥装置。
【請求項８】
各前記スロット状開口部の幅は、０．５ｍｍ以下である、請求項７記載の乾燥装置。
【請求項９】
使用中、前記スロット状開口部から放出される前記空気流の速度は、少なくとも１００ｍ／ｓである、請求項８記載の乾燥装置。
【請求項１０】
使用中、前記スロット状開口部から放出される前記空気流の圧力は、少なくとも１５ｋＰａである、請求項１〜９のうちいずれか一に記載の乾燥装置。
【請求項１１】
使用中、前記スロット状開口部から放出される前記空気流の圧力は、少なくとも２０ｋＰａである、請求項１〜１０のうちいずれか一に記載の乾燥装置。
【請求項１２】
前記乾燥装置は、ハンドドライヤである、請求項１〜１１のうちいずれか一に記載の乾燥装置。
【手続補正書】
【提出日】平成21年7月6日(2009.7.6)
【手続補正１】
【補正対象書類名】特許請求の範囲
【補正対象項目名】全文
【補正方法】変更
【補正の内容】
【特許請求の範囲】
【請求項１】
（ａ）光源、ビームスプリッタ、参照ミラーを含む参照アーム、および広帯域の光源から放射された光が通り抜けることができるサンプルプローブを含むサンプルアームを備える干渉計と、参照アームおよびサンプルプローブから反射された光を分析する手段とを備える光干渉断層撮影（ＯＣＴ）装置、
（ｂ）様々な病期の疾病状態にある動物の組織種の組織病理像のライブラリ、および
（ｃ）干渉計によって生成されたＯＣＴ像のデータベースを格納するためのコンピュータであって、ＯＣＴ像を組織病理像ライブラリに含まれている組織病理像と比較する手段、およびＯＣＴ像と該画像ライブラリからの組織病理像との間の合致の可能性がある場合に警告する手段を備え、かつ、前記合致の可能性がある場合に警告する手段は、対象組織の特定のＯＣＴ像がライブラリに含まれている組織病理像と同じ１つ以上の構造体を有するか否かに基づき合致を検出するものであるコンピュータ
を備えるキット。
【請求項２】
前記ライブラリに含まれている組織病理像は、炭素色素、がん細胞、腫瘍、および特定の形態の結合組織の少なくとも１つの画像を含む請求項１に記載のキット。
【請求項３】
前記合致の可能性がある場合に警告する手段は、対象組織の特定のＯＣＴ像がライブラリに含まれている組織病理像と同じ１つ以上の構造体または特徴を有しているか否かに基づき合致を検出するものであり、前記構造体または特徴は、
組織の均質化および組織の境界の乱れ、
気管支上皮内の炭素色素の堆積、
正常組織の境界を無視および消去した破壊性成長、
上皮および固有層の明瞭な境界の消失、および
細毛を有する気道上皮の正常な単層の、多層の扁平上皮による置換
からなる群より選択される請求項１に記載のキット。
【請求項４】
ＯＣＴ撮像によって測定される動物の組織種または組織種の微細構造の光学的性質のデータベースをさらに備える請求項１から請求項３のいずれか一項に記載のキット。
【請求項５】
前記光学的性質のデータベースは、コンピュータに格納された電子データベースである請求項４に記載のキット。
【請求項６】
前記コンピュータは、ＯＣＴ像の光学的性質をデータベース上の光学的性質と比較する手段、および特定の組織についてＯＣＴ像の少なくとも１つの光学的性質とデータベース上に格納された光学的性質との間に合致の可能性が測定された場合に警告する手段を備える請求項５に記載のキット。
【手続補正２】
【補正対象書類名】明細書
【補正対象項目名】発明の名称
【補正方法】変更
【補正の内容】
【発明の名称】光干渉断層撮影装置を備えるキット
【手続補正３】
【補正対象書類名】明細書
【補正対象項目名】００２４
【補正方法】変更
【補正の内容】
【００２４】
本発明の第２の態様によれば、
（ａ）光源、ビームスプリッタ、参照ミラーを含む参照アーム、および広帯域の光源から放射された光が通り抜けることができるサンプルプローブを含むサンプルアームを備える干渉計と、参照アームおよびサンプルプローブから反射された光を分析する手段とを含む光干渉断層撮影装置、
（ｂ）様々な病期の疾病状態にある動物の組織種の組織病理像のライブラリ、および
（ｃ）干渉計によって生成されたＯＣＴ像のデータベースを格納するためのコンピュータであって、ＯＣＴ像を組織病理像ライブラリに含まれている組織病理像と比較する手段、およびＯＣＴ像と該画像ライブラリからの組織病理像との間の合致の可能性がある場合に警告する手段を備え、かつ、合致の可能性がある場合に警告する手段は、対象組織の特定のＯＣＴ像がライブラリに含まれている組織病理像と同じ１つ以上の構造体を有するか否かに基づき合致を検出するものであるコンピュータを備えるキットが提供される。
【手続補正書】
【提出日】平成21年10月8日(2009.10.8)
【手続補正１】
【補正対象書類名】特許請求の範囲
【補正対象項目名】全文
【補正方法】変更
【補正の内容】
【特許請求の範囲】
【請求項１】
ランプ本体（１０）内に設けられ、複数の発光ダイオード（１６，１６’）を有する少なくとも１つの光源（１６）と、
前記光源からの可視光放射を手術領域（２２）に向ける光学的手段（１８，１８’，２０，２０’）と、
を備え、
リング状の反射鏡（２０，２０’）が、全反射によって前記発光ダイオード（１６，１６’）からの放射を反射させるように設けられることを特徴とする外科手術用照明ランプ。
【請求項２】
前記発光ダイオード（１６，１６’）が、前記ランプ本体（１０）に円形のリング状に配置されることを特徴とする請求項１に記載の外科手術用照明ランプ。
【請求項３】
前記ランプ本体（１０）が、リング状内部の通流が可能であり、かつ内部に前記発光ダイオード（１６，１６’）が配置される少なくとも１つのハウジングリング（１１，１１’）を有することを特徴とする請求項１または２の少なくとも１つに記載の外科手術用照明ランプ。
【請求項４】
前記ランプ本体（１０）が、皿状に形成されることを特徴とする請求項１〜３の少なくとも１つに記載の外科手術用照明ランプ。
【請求項５】
前記ランプ本体（１０）が、付属品、特に、付加的な光源（２６，２８）用の中央マウント（２４）を有することを特徴とする請求項１〜４の少なくとも１つに記載の外科手術用照明ランプ。
【請求項６】
ガス放電ランプ（２６）ないしハロゲンランプが、前記ランプ本体（１０）の中央に特に設けられ、かつ特に個別に切り換え可能であることを特徴とする請求項１〜５の少なくとも１つに記載の外科手術用照明ランプ。
【請求項７】
特に移動可能に配置され、かつ光学的手段としての反射鏡および／またはコリメータ（１８，１８’）を含む複数の光学モジュール（１８，１８’，１９）を設けることを特徴とする請求項１〜６の少なくとも１つに記載の外科手術用照明ランプ。
【請求項８】
発光ダイオード（１６）と対応する光学モジュール（１８，１８’）との間の間隔が調節手段により変更できることを特徴とする請求項７に記載の外科手術用照明ランプ。
【請求項９】
前記発光ダイオード（１６）が、それぞれの光学モジュール（１９）に組み込まれることを特徴とする請求項７または８に記載の外科手術用照明ランプ。
【請求項１０】
前記複数の光学モジュール（１８，１８’，１９）が、調節要素、特に調節リング（２１）によって共に調節できることを特徴とする請求項７〜９のいずれかに記載の外科手術用照明ランプ。
【請求項１１】
前記発光ダイオード（１６）の各々が、光学手段として対応する焦点調整装置を有し、特に前記調整装置の全てが、調節部材（２１）によって、共に調節、特に回転できることを特徴とする請求項１〜１０の少なくとも１つに記載の外科手術用照明ランプ。
【請求項１２】
前記リング状の反射鏡（２０，２０’）は、前記ランプ本体（１０）の下側に設置されるか、または前記ランプ本体（１０）に組み込まれることを特徴とする請求項１〜１１の少なくとも１つに記載の外科手術用照明ランプ。
【請求項１３】
前記反射鏡（２０，２０’）がプラスチックから成ることを特徴とする請求項１〜１２の少なくとも１つに記載の外科手術用照明ランプ。
【請求項１４】
最大強度が約４５０ｎｍの範囲にある少なくとも１つの発光体（１６）と、該発光体（１６）を前記光源（１６）と独立して制御できる制御装置（４０）と、を設けることを特徴とする請求項１〜１３の少なくとも１つに記載の外科手術用照明ランプ。
【請求項１５】
前記発光体（１６，１６’）が、現在時刻および現時点での前記外科手術用照明ランプの使用継続時間の群から選択される少なくとも１つのパラメータを参照して前記制御装置（４０）によって自動的に切り換え可能であることを特徴とする請求項１４に記載の外科手術用照明ランプ。
【請求項１６】
前記発光体（１６，１６’）からの光束が、前記現時点での外科手術用照明ランプの使用継続時間に依存して前記制御装置（４０）によって自動的に変更可能であることを特徴とする請求項１５に記載の外科手術用照明ランプ。
【請求項１７】
参照波長または参照波長範囲を選択できる入力手段（４６）を有し、前記外科手術用照明ランプから前記手術領域（２２）に向けられる放射が、前記参照波長または前記参照波長範囲において、大部分にもしくは限定的に出力されるように前記制御装置（４０）によって前記発光ダイオード（１６，１６’）と、任意選択的に、外科手術用照明ランプの付加的な発光体（２６）と、を制御可能であることを特徴とする請求項１〜１６の少なくとも１つに記載の外科手術用照明ランプ。
【請求項１８】
前記制御装置（４０）が、参照放射を備える手術モードと日光のような放射を備える手術モードとの間で切り換えを行うスイッチ手段（４７）を有することを特徴とする請求項１７に記載の外科手術用照明ランプ。
【請求項１９】
前記制御装置（４０）が、赤外線スペクトルの参照放射と紫外線スペクトルの参照放射との間で切り換えを行うスイッチ手段を有することを特徴とする請求項１７または１８に記載の外科手術用照明ランプ。
【請求項２０】
蛍光スペクトルを記録するように作られた電子カメラ装置（３４，４０）を有することを特徴とする請求項１７〜１９のいずれかに記載の外科手術用照明ランプ。
【請求項２１】
前記光学手段（１８，１８’，２０，２０’）が、収束光線および発散光線の両方を生成することを特徴とする請求項１〜２０の少なくとも１つに記載の外科手術用照明ランプ。
【請求項２２】
密閉されたハウジング（１１，１１’）内の前記光源を冷却するファンを設けることを特徴とする請求項１〜２１の少なくとも１つに記載の外科手術用照明ランプ。
【請求項２３】
前記光源の冷却に液体冷却を用いることを特徴とする請求項１〜２２の少なくとも１つに記載の外科手術用照明ランプ。
【手続補正書】
【提出日】平成21年6月22日(2009.6.22)
【手続補正１】
【補正対象書類名】特許請求の範囲
【補正対象項目名】全文
【補正方法】変更
【補正の内容】
【特許請求の範囲】
【請求項１】
使用者の脛骨の前に配置される剛性のシールド要素（３）と、前記シールド要素を使用者の下腿（１）に固定するための付属部品とから成る、特にサッカー選手用の脛骨パッドにおいて、
−固定用の前記付属部品が、使用者の下腿（１）を少なくとも部分的に包み込んで締め付けるバンデージ（２）を有し、
−前記シールド要素（３）が、使用者の脛骨に面した内面（２３）の大きな部分を介して前記バンデージ（２）と結合される、ことを特徴とする脛骨パッド。
【請求項２】
当該バンデージ（２）が、下腿（１）に固定するために、使用者の下腿（１）の周りに少なくとも部分的に巻きつけることができ、前記バンデージ（２）の対向した端部（１１、１３；１２、１４）が、互いに結合可能であることを特徴とする請求項１に記載の脛骨パッド。
【請求項３】
当該バンデージ（２）の対向した端部が、マジックテープ（登録商標）（１０）によって互いに結合可能であることを特徴とする請求項２に記載の脛骨パッド。
【請求項４】
当該バンデージ（２）が、使用者のふくらはぎ（４）を自由にさせる開口部（５）を含むことを特徴とする請求項１から３のいずれか一項に記載の脛骨パッド。
【請求項５】
当該バンデージ（２）が、上は使用者の膝窩（８）の付近に、下は使用者の踝（９）の付近に達することを特徴とする請求項４に記載の脛骨パッド。
【請求項６】
当該開口部（５）の上および下に残っている、少なくとも部分的に使用者の下腿（１）を包み込んで締め付ける結合領域（６、７）が、使用者の腓腹筋の活動を妨げないように、使用者の膝窩および踝の付近に配置されており、かつそのような長さを有することを特徴とする請求項４又は５に記載の脛骨パッド。
【請求項７】
当該シールド要素（３）が、マジックテープ（登録商標）（１７、１８）により当該バンデージ（２）と取外し可能に結合されることを特徴とする請求項１から６のいずれか一項に記載の脛骨パッド。
【請求項８】
当該バンデージ（２）が、伸縮性材料、特に繊維材料から成ることを特徴とする請求項１から７のいずれか一項に記載の脛骨パッド。
【請求項９】
当該シールド要素（３）が、当該バンデージ（２）の下端部より上で終わることを特徴とする請求項１から８のいずれか一項に記載の脛骨パッド。
【請求項１０】
当該バンデージ（２ａ）が、パッド付き踝保護部（２０）を形成するために好ましくは足の裏（２１）の周りに回すことができるフラップを有することを特徴とする請求項１から９のいずれか一項に記載の脛骨パッド。
【請求項１１】
当該バンデージ（２）が、使用者の脛骨の前に配置されたシールド要素（３）と取外し可能に結合するための付着部（１７）を有しており、その際、前記シールド要素（３）の内面の大きな部分との結合を作り得ることを特徴とする請求項１から１０のいずれか一項に記載の脛骨パッド用のバンデージ。